(57)【要約】      （修正有）【課題】デジタル計測制御が可能な太陽エネルギー太陽光電池・太陽光熱一体化モジュールの総合性能の計測装置を提供する。【解決手段】太陽光電池・太陽光熱一体化モジュール１４の性能の計測装置は、太陽エネルギーアナログ光源６、コンピュータ１、デジタル採取計４、採取ソフト２、通信線３、配電箱５及び試験台を含み、デジタル式採取計温度トランジスタは被計測モジュールに接続され、かつ通信線ＲＳ２３２またはＲＳ４８５またはＲＳ４２２によりコンピュータと接続され、コンピュータには採取ソフトが内蔵されている。配電箱はＩ／Ｏカード、データ採取カードと複数の駆動器を含み、試験台には太陽放射計１５、入口温度センサー１２、出口温度センサー１３、流量計８、計量ポンプ７が設けられている。【選択図】図１
0003186724.tif 000002
【実用新案登録請求の範囲】
【請求項１】
デジタル式の太陽光電池・太陽光熱一体化モジュールの性能計測装置において、
太陽エネルギーアナログ光源、コンピュータ、デジタル採取計、採取ソフト、通信線、熱電対、配電箱、試験台を含み、デジタル採取計は温度トランジスタを通じて被計測モジュールと連結され、かつコンピュータと接続されており、コンピュータには採取ソフトが内蔵されていることを特徴とするデジタル式の太陽光電池・太陽光熱一体化モジュールの性能計測装置。
【請求項２】
計測台には、太陽放射計、入口温度センサー、出口温度センサー、流量計、計量ポンプが合理的に配置されていることを特徴とする請求項１に記載のデジタル式の太陽光電池・太陽光熱一体化モジュールの性能計測装置。
【請求項３】
配電箱は、I/Oカード、データ採取カード、複数の駆動器を含むことを特徴とする請求項１に記載のデジタル式の太陽光電池・太陽光熱一体化モジュールの性能計測装置。
【請求項４】
前記採取ソフトは、（公序良俗違反につき、不掲載）、C、VB、VC、Csharp、またはアセンブリ言語により作成されたインターフェースソフトウェアを採択することを特徴とする請求項１に記載のデジタル式の太陽光電池・太陽光熱一体化モジュールの性能計測装置。
【請求項５】
前記試験台は、RS232、RS485あるいはRS422などの通信線を用いてコンピュータに接続されていることを特徴とする請求項１に記載のデジタル式の太陽光電池・太陽光熱一体化モジュールの性能計測装置。
【考案の詳細な説明】
【技術分野】
【０００１】
本考案は太陽エネルギーを利用する太陽光電池・太陽光熱一体化モジュールの総合性能の計測装置に関し、特にデジタル計測制御が可能の太陽エネルギー太陽光電池・太陽光熱一体化モジュールの総合性能（熱性能と電気性能）の計測装置に関する。
【背景技術】
【０００２】
従来の太陽エネルギーを利用する太陽光電池・太陽光熱一体化モジュールの総合性能計測装置では、複数の熱電対、複数の温度計（温度トランジスタ）、太陽放射計、アナログ太陽光源などから構成されており、計測過程が非常に複雑で、かつ時間が掛かり、計測員はアナログ光源、計量ポンプなどのデバイス上の押ボタン、回しボタンなどに頻繁に接近して操作し、かつ手動でデータを記録する必要があり、性能変数がリアルタイムで表示及び記録されず、実験での計測過程が複雑で、性能の評価効率が低い問題があった。
【考案の概要】
【考案が解決しようとする課題】
【０００３】
本考案の目的は、デジタル式の太陽光電池・太陽光熱一体化モジュールの総合性能（熱性能と電気性能）の計測装置を提供して、従来のデバイスにおける遠隔制御が不可能で、かつ計測データを即時に監視及び処理することができないなどの欠点を克服することにある。
【課題を解決するための手段】
【０００４】前記デジタル式の太陽エネルギー太陽光電池・太陽光熱一体化モジュールの性能計測装置は、コンピュータ、配電箱、試験台、デジタル式採取計を含み、前記配電箱はI/Oカード、データ採取カード及び複数の駆動器を含み、前記デジタル式の太陽光電池・太陽光熱一体化モジュールの総合性能計測装置は、気象環境機デバイスを更に含むことができ、前記コンピュータには採取ソフトが内蔵され、該採取ソフトは周知の（公序良俗違反につき、不掲載）または他の類似ソフトにより作成された採取とコントロールインタフェースであり、前記試験台はRS232、RS485またはRS422などのシリアルポート式通信線によりコンピュータに接続されており、前記デジタル式採取計は、試験台上の太陽放射計、入口温度センサー、出口温度センサー、流量計と接続され、かつデータ採取カードを通じてこれらのデバイスの信号を採取しており、前記配電箱は、計量ポンプ、太陽エネルギーアナログ光源と更に接続され、かつこれらのデバイスの起動、開閉及び光の明るさ調節、流量の調節などを制御することができる。【０００５】
本考案の利点は下記の通りである。
採取制御ソフトを用いて温度と流量の計測を行い、かつリアルタイムで表示し、計測員はアナログ光源に頻繁に接近及びいかなる機電デバイスに接触する必要がなく、データ収集とハードウェア制御のスマート化を実現することができ、
熱性能と電気性能の計算結果はソフトによりリアルタイムで計算され、かつ採取ソフトに表示されており、
全体の計測装置がコンパクトで、遠隔制御と遠隔計測を実現することができる。
【０００６】
以上により、本考案によれば、作業員がアナログ光源と計測デバイスに頻繁に接近することによる不安全性を克服し、計測過程でのリモートコントロール化を実現しており、全ての変数のデジタル式計測は計測結果の精確性を向上させ、計測装置がコンパクトで、配置が更に合理的で、全ての強電力デバイスを御電気制御箱内に配置し、かつデータ線のみを通じて電気制御箱とコンピュータとの接続を実現することができる。
【図面の簡単な説明】
【０００７】
【図１】図1は、各デバイスの接続原理を示す図である。
【考案を実施するための形態】
【０００８】
図１を用いて、デジタル式の太陽光電池・太陽光熱一体化モジュールの総合性能計測装置の制御及び採取原理を説明する。
コンピュータ1には採取ソフト２が内蔵され、かつ通信線3を通じてデジタル式採取計4と接続されており、
配電箱5は、アナログ光源6、計量ポンプ7、流量計8に電力を供給し、かつデータ採取カード9、I/Oカード10、複数の駆動器11を設けており、I/Oカード10と駆動器11の間が電線により接続されており、
デジタル式採取計4には入口温度センサー12、出口温度センサー13、計量ポンプ7、流量計8が接続されており、
計測する時、太陽光電池・太陽光熱一体化モジュール14はその上方に位置するアナログ光源6の光照射エネルギーを受信し、アナログ光源6には配電箱5の複数の駆動器11が接続されており、
太陽放射計15はデジタル式採取計4に接続されて、アナログ光源6の放射エネルギーを計測しており、
計測される太陽光電池・太陽光熱一体化モジュール14の入口は管路16を通じて冷水タンク17と熱水タンク18の出口、入口温度センサー（温度トランジスタ）12に接続され、出口は管路19を通じて冷水タンク17と熱水タンク18の入口、出口温度センサー（温度トランジスタ）13に接続され、冷水タンク17と熱水タンク18はそれぞれ出入口弁20、21、22、23に接続されており、
デジタル式採取計4は入口温度センサー12、出口温度センサー13、太陽放射計15、流量計8の信号を採取することができ、
配電箱5は複数の駆動器11を通じてアナログ光源6のオン・オフ及び光量、計量ポンプ7の開閉を制御することができる。
【０００９】
以下、デジタル式の太陽光電池・太陽光熱一体化モジュールの総合性能の計測装置の作動原理に対して説明する。
アナログ光源6をオンにして安定に一定の時間作動させた後、冷水タンク/熱水タンク出口弁20/21と冷水タンク/熱水タンク入口弁22/23を開き、計量ポンプ7を開き、コンピュータ1及び採取ソフト2を起動させ、通信線3を通じてデジタル式採取計4に接続させる。データの採取を開始し、かつ各計測変数と空気集熱器の熱効率などのデータの表示を実施する。
【符号の説明】
【００１０】
1  コンピュータ
2  採取ソフト
3  通信線
4  デジタル式採取計
5  配電箱
6  アナログの光源
7  計量ポンプ
8  流量計
9  データ採取カード
10  I/Oカード
11  駆動器
12  入口温度センサー
13  出口温度センサー
14  太陽光電池・太陽光熱一体化モジュール
15  太陽エネルギー放射計
16  管路
17  冷水タンク
18  熱水タンク
19  管路
20  出入口弁
21  出入口弁
22  出入口弁
23  出入口弁
【図１】
0003186724.tif 000003
【手続補正書】
【提出日】平成25年8月9日(2013.8.9)
【手続補正１】
【補正対象書類名】実用新案登録請求の範囲
【補正対象項目名】全文
【補正方法】変更
【補正の内容】
【実用新案登録請求の範囲】
【請求項１】
デジタル式の太陽光電池・太陽光熱一体化モジュールの性能計測装置において、
太陽エネルギーアナログ光源、コンピュータ、デジタル採取計、採取ソフト、通信線、熱電対、配電箱、試験台を含み、デジタル採取計は温度トランジスタを通じて被計測モジュールと連結され、かつコンピュータと接続されており、コンピュータには採取ソフトが内蔵されていることを特徴とするデジタル式の太陽光電池・太陽光熱一体化モジュールの性能計測装置。
【請求項２】
計測台には、太陽放射計、入口温度センサー、出口温度センサー、流量計、計量ポンプが配置されていることを特徴とする請求項１に記載のデジタル式の太陽光電池・太陽光熱一体化モジュールの性能計測装置。
【請求項３】
配電箱は、I/Oカード、データ採取カード、複数の駆動器を含むことを特徴とする請求項１に記載のデジタル式の太陽光電池・太陽光熱一体化モジュールの性能計測装置。
【請求項４】
前記採取ソフトは、C、VB、VC、Csharp、またはアセンブリ言語により作成されたインターフェースソフトウェアを採択することを特徴とする請求項１に記載のデジタル式の太陽光電池・太陽光熱一体化モジュールの性能計測装置。
【請求項５】
前記試験台は、RS232、RS485あるいはRS422のなどの通信線を用いてコンピュータに接続されていることを特徴とする請求項１に記載のデジタル式の太陽光電池・太陽光熱一体化モジュールの性能計測装置。
【手続補正２】
【補正対象書類名】明細書
【補正対象項目名】０００４
【補正方法】変更
【補正の内容】
【０００４】
前記デジタル式の太陽エネルギー太陽光電池・太陽光熱一体化モジュールの性能計測装置は、コンピュータ、配電箱、試験台、デジタル式採取計を含み、
前記配電箱はI/Oカード、データ採取カード及び複数の駆動器を含み、
前記デジタル式の太陽光電池・太陽光熱一体化モジュールの総合性能計測装置は、気象環境機デバイスを更に含むことができ、
前記コンピュータには採取ソフトが内蔵され、
前記試験台はRS232、RS485またはRS422などのシリアルポート式通信線によりコンピュータに接続されており、
前記デジタル式採取計は、試験台上の太陽放射計、入口温度センサー、出口温度センサー、流量計と接続され、かつデータ採取カードを通じてこれらのデバイスの信号を採取しており、
前記配電箱は、計量ポンプ、太陽エネルギーアナログ光源と更に接続され、かつこれらのデバイスの起動、開閉及び光の明るさ調節、流量の調節などを制御することができる。